(57)【要約】【課題】従来の番組記録装置においては、消去不可の番組を適切に保存することはできなかった。【解決手段】番組情報を入力するデータ・デコード処理部２１と、録画予約を行うための赤外線リモコン５０と、記録媒体への番組のコンテンツをもつデータの書き込みおよび消去を行う媒体制御部６０と、データ・デコード処理部２１から入力した番組情報を保存し、番組を媒体制御部６０に記録させる時計・グラフィックス機能内蔵マイクロ・コントローラ４０とを備え、赤外線リモコン５０は、複数の録画／消去操作を組とした包括的な録画予約を行うことができ、媒体制御部６０は、包括的に録画予約された番組からなる番組群に属する番組の録画を実行する場合、その録画の実行より以前にすでに録画されている、番組群に属する番組を消去することにより、その録画を実行してもよい番組記録装置である。【選択図】図１
2006155877.tif 000002
【特許請求の範囲】
【請求項１】
番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記番組録画予約手段は、複数の録画／消去操作を組とした包括的な録画予約を行うことができ、
前記記録手段は、包括的に録画予約された番組からなる番組群に属する番組の録画を実行する場合、その録画の実行より以前にすでに録画されている、前記番組群に属する番組を消去することにより、その録画を実行してもよいことを特徴とする番組記録装置。
【請求項２】
前記記録手段は、前記番組群に属する番組の録画を実行する場合、その録画の実行より以前にすでに録画されている、前記番組群に属する番組を消去することにより、その録画を実行することを特徴とする請求項１記載の番組記録装置。
【請求項３】
請求項１記載の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体。
【発明の詳細な説明】
【技術分野】
【０００１】
本発明は、番組記録装置に関する。
【背景技術】
【０００２】
はじめに、図１８を参照しながら、従来の技術による番組記録装置の構成について説明する。なお、図１８は従来の技術による番組記録装置の構成図である。
【０００３】
正チューナ１０は、録画対象となるアナログ放送チャンネルの受信を、アンテナ１から行うための手段である。
【０００４】
副チューナ２０は、放送局（図示省略）により提供される電子番組情報の受信を、アンテナ１から行うための手段である。データ・デコード処理部２１は、副チューナ２０から信号を入力し、特定チャンネルの垂直帰線区間に多重化される電子番組情報の抽出、復号化を行うための手段である。
【０００５】
映像・音声エンコード処理部３０は、正チューナ１０から信号を入力し、ＭＰＥＧなどによるデジタル映像・音声信号の符号化を行う部分である。
【０００６】
時計・グラフィックス機能内蔵マイクロ・コントローラ２４０は、番組管理情報をグラフィックとして生成し、ユーザによる赤外線リモコン２５０の操作にしたがって、データ表示部９０による表示を制御することができる手段である。メモリ４１は、電子番組情報、番組管理情報、および時計・グラフィックス機能内蔵マイクロ・コントローラ２４０の動作に必要なワーク・メモリーを保持する手段である。
【０００７】
メモリ４１は、図２に示されているような電子番組情報を保存している。なお、図２は、１９９９年８月１２日２０時３０分における電子番組情報（１９９９年７月２８日の週に配信された電子番組情報から適宜抜粋）の一覧図である。
【０００８】
放送局（図示省略）により提供される電子番組情報は、チャンネル、番組名、放送日時、ジャンル、番組概要、出演者、およびシリーズ情報の七項目から構成されている。チャンネルは、番組の放送チャンネルである。番組名は、番組の名称である。放送日時は、番組の放送が開始される日時および番組の放送が終了される日時である。ジャンルは、番組のコンテンツを反映したカテゴリーであり、「ニュース」、「映画」、「スポーツ」、「ドラマ」、「ドキュメンタリー」、「その他」の何れかである。番組概要は、番組内容の概要であり、省略可能である。出演者は、番組の出演者であり、省略可能である。シリーズ情報は、番組の放送形態などを示しており、番組がシリーズを構成する場合に付与される情報である。
【０００９】
また、メモリ４１は、図１９に示されているような番組管理情報を保存している。なお、図１９は、従来の技術による１９９９年８月１２日２０時３０分における番組管理情報（録画済番組および録画予約番組分を抜粋）の一覧図である。
【００１０】
番組管理情報は、現在時刻、最大録画時間、番組消去優先基準、チャンネル、番組群、番組群録画基準、番組録画状態（放送開始日時および録画時間を含む）の七項目から構成されている。
【００１１】
現在時刻は、現在の時刻である。最大録画時間は、記録媒体６１に録画することのできる、番組の録画時間の合計の最大値である。なお、記録媒体６１の最大録画時間は１２時間である。
【００１２】
番組消去優先基準は、ユーザにより設定される、録画または録画予約されている番組のコンテンツをもつデータの消去の優先度を決定するための基準であって、「放送開始日時」である（すなわち、放送開始日時の早い番組のコンテンツをもつデータが優先的に消去される）。
【００１３】
チャンネルは、番組の放送チャンネルである。番組群は、放送局（図示省略）により提示されるシリーズ情報におけるシリーズである。番組群録画基準は、番組群ごとに設定される、番組のコンテンツをもつデータの録画に関する基準であって、「最新ｘ回分録画（ｘには具体的な数字が代入される）」、「全回分録画」の何れかを番組群ごとに選択することが可能である。
【００１４】
番組録画状態は、番組の録画に関する状態であって、「予約中」、「録画済」、「録画中」の何れかである。なお、番組録画状態の欄には、番組の放送開始日時および番組の録画時間（括弧内に記されている）も記述されている。ただし、本欄における番組の放送開始日時は番組名をも表しており、たとえば、図２における番組「皆既日食（第１回）」は図２０においては１９９９／０８１２／２１：００と記されている。また、番組の録画時間は、その番組の放映時間である。
【００１５】
赤外線リモコン２５０は、電源制御、チャンネル切り替え、番組録画予約、録画設定者のパスワード入力などを、赤外線受光部５１を通して、時計・グラフィックス機能内蔵マイクロ・コントローラ２４０に命令するための手段である。
【００１６】
媒体制御部６０は、映像・音声エンコード処理部３０、および時計・グラフィックス機能内蔵マイクロ・コントローラ２４０から信号を入力し、記録媒体６１におけるデータの書き込みおよび消去を行う部分である。
【００１７】
映像・音声デコード処理部７０は、媒体制御部６０から信号を入力し、デジタル映像・音声信号の復号を行う部分である。
【００１８】
映像・音声・グラフィック切り替え部８０は、正チューナ１０、時計・グラフィックス機能内蔵マイクロ・コントローラ２４０、および映像・音声デコード処理部７０から信号を入力し、映像、音声、グラフィックの出力切り替えを行うための部分である。
【００１９】
データ表示部９０は、映像・音声・グラフィック切り替え部８０から信号を入力し、映像および音声を、ＣＲＴ（ｃａｔｈｏｄｅ−ｒａｙ  ｔｕｂｅ、陰極線管）９１に表示するための部分である。
【００２０】
このような構成を有する、従来の技術による番組記録装置の動作について、図１８〜２０を参照しながら説明する。
【００２１】
はじめに、従来の技術による番組記録装置の、放送局（図示省略）により提供される電子番組情報の受信、および番組管理情報の作成を行うときの動作について説明する。
【００２２】
副チューナ２０は、放送局（図示省略）より送出される電波をアンテナ１から受信し、電子番組情報をもつデータを抽出して、データ・デコード処理部２１への信号出力を行う。データ・デコード処理部２１は、副チューナ２０より入力した信号を復号し、時計・グラフィックス機能内蔵マイクロ・コントローラ２４０への信号出力を行う。時計・グラフィックス機能内蔵マイクロ・コントローラ２４０は、データ・デコード処理部２１より信号を入力し、これをメモリ４１に出力する。
【００２３】
メモリ４１は、時計・グラフィックス機能内蔵マイクロ・コントローラ２４０より信号を入力し、放送局により提供された電子番組情報を保存する。メモリ４１は、１９９９年８月１２日２０時３０分において、図２に示されているような電子番組情報を保存する。
【００２４】
また、時計・グラフィックス機能内蔵マイクロ・コントローラ２４０は、その電子番組情報を参照して、図１９に示されているような番組管理情報を作成し、これをメモリ４１に保存する。
【００２５】
つぎに、従来の技術による番組記録装置が、１９９９年８月１２日２０時３０分において、ユーザの録画指示による番組群「皆既日食」の録画予約を行うときの動作について説明する。
【００２６】
赤外線リモコン２５０は、ユーザの録画指示により、番組群「皆既日食」の録画を命令する信号を、赤外線受光部５１を通して、時計・グラフィックス機能内蔵マイクロ・コントローラ２４０に入力する。なお、ユーザの録画指示内容は、チャンネルが「１２」であり、番組群が「皆既日食」であり、番組群録画基準が「全回分録画」である。
【００２７】
時計・グラフィックス機能内蔵マイクロ・コントローラ２４０は、前述の録画指示を赤外線リモコン５０より信号入力する。また、時計・グラフィックス機能内蔵マイクロ・コントローラ２４０は、その入力信号に基づき、図２に示されている電子番組情報を参照して、番組群「皆既日食」が、１９９９年８月１２日２１時００分から放送される、録画時間が２時間である番組「皆既日食（第１回）」、および１９９９年８月１３日２１時００分から放送される、録画時間が２時間である番組「皆既日食（第２回）」から構成されていることを認識し、図１９に示されている番組管理情報を、図２０に示されている番組管理情報に更新する。なお、図２０は、１９９９年８月１２日２０時３０分における、更新された番組管理情報の一覧図であって、番組群「皆既日食」に関する情報が書き込まれている点において、図１９と相異なっている。
【００２８】
時計・グラフィックス機能内蔵マイクロ・コントローラ２４０は、その更新された番組管理情報を、メモリ４１に保存する。
【００２９】
つぎに、番組記録装置が、１９９９年８月１２日２１時００分において、番組「皆既日食（第１回）」の録画を行うときの動作について説明する。
【００３０】
時計・グラフィックス機能内蔵マイクロ・コントローラ２４０は、１９９９年８月１２日２１時００分が近づくと、図２０に示されている番組管理情報を参照して、記録媒体６１には録画時間が２時間である番組「皆既日食（第１回）」（図２０においては１９９９／０８１２／２１：００と記されている）を録画するための空き領域が十分に存在していることを認識する。なぜならば、記録媒体６１の最大録画時間は１２時間であり、１９９９年８月１２日２１時００分における番組録画状態が「録画済」であるような番組の録画時間の合計は１０時間であるからである。
【００３１】
正チューナ１０は、１９９９年８月１２日２１時００分になると、放送局（図示省略）より送出される電波をアンテナ１から受信し、番組「皆既日食（第１回）」のコンテンツをもつデータを抽出して、映像・音声エンコード処理部３０への信号出力を行う。映像・音声エンコード処理部３０は、正チューナ１０より入力した信号を符合化し、媒体制御部６０への信号出力を行う。媒体制御部６０は、映像・音声エンコード処理部３０より信号を入力し、番組「皆既日食（第１回）」のコンテンツをもつデータの、記録媒体６１への書き込みを開始する。また、媒体制御部６０は、番組「皆既日食（第１回）」のコンテンツをもつデータの、記録媒体６１への書き込みの開始を、時計・グラフィックス機能内蔵マイクロ・コントローラ４０に信号出力する。
【００３２】
時計・グラフィックス機能内蔵マイクロ・コントローラ４０は、番組管理情報を図２１に示されているように更新し、これをメモリ４１に保存する。なお、図２１は、１９９９年８月１２日２１時００分における番組管理情報の一覧図であって、番組「皆既日食（第１回）」の番組録画状態が「録画中」である点において、図２０と相異なっている。
【００３３】
つぎに、番組記録装置が、１９９９年８月１３日２１時００分において、番組「皆既日食（第２回）」の録画を行うときの動作について説明する。
【００３４】
時計・グラフィックス機能内蔵マイクロ・コントローラ２４０は、１９９９年８月１３日２１時００分が近づくと、図２１に示されている番組管理情報を参照して、記録媒体６１には録画時間が２時間である番組「皆既日食（第２回）」（図２０においては１９９９／０８１２／２１：００と記されている）を録画するための空き領域が十分に存在していないことを認識する。なぜならば、記録媒体６１の最大録画時間は１２時間であり、１９９９年８月１２日２１時００分における番組録画状態が「録画済」であるような番組の録画時間の合計は１２時間であるからである。
【００３５】
図２０に示されているように、従来の技術における番組消去優先基準は「放送開始日時」である。したがって、放送開始日時の早い番組のコンテンツをもつデータが、優先的に消去される。
【００３６】
最も放送開始日時の早い番組は番組「明日天気に（第６回）」（図２０においては１９９９／０７２８／２０：００と記されている）であり、これに次いで放送開始日時の早い番組は番組「明日天気に（第７回）」（図２０においては１９９９／０８０４／２０：００と記されている）である。
【００３７】
時計・グラフィックス機能内蔵マイクロ・コントローラ２４０は、録画時間が２時間である番組「皆既日食（第１回）」の録画を実行するためには、録画時間が１時間である「明日天気に（第６回）」のコンテンツをもつデータ、および録画時間が１時間である「明日天気に（第７回）」のコンテンツをもつデータを消去すれば十分であると判断し、これらを消去する命令を媒体制御部６０に信号出力する。
【００３８】
媒体制御部６０は、時計・グラフィックス機能内蔵マイクロ・コントローラ２４０より命令を入力し、番組「明日天気に（第６回）」のコンテンツをもつデータ、および番組「明日天気に（第７回）」のコンテンツをもつデータを消去する。
【００３９】
正チューナ１０は、１９９９年８月１２日２１時００分になると、放送局（図示省略）より送出される電波をアンテナ１から受信し、番組「皆既日食（第２回）」のコンテンツをもつデータを抽出して、映像・音声エンコード処理部３０への信号出力を行う。映像・音声エンコード処理部３０は、正チューナ１０より入力した信号を符合化し、媒体制御部６０への信号出力を行う。媒体制御部６０は、映像・音声エンコード処理部３０より信号を入力し、番組「皆既日食（第２回）」のコンテンツをもつデータの、記録媒体６１への書き込みを開始する。
【発明の開示】
【発明が解決しようとする課題】
【００４０】
ところで、すでに説明されたように、番組「明日天気に（第６回）」、および番組「明日天気に（第７回）」は、番組消去優先基準にしたがって、番組「皆既日食（第２回）」の録画開始時に消去されてしまう。ユーザが番組「明日天気に（第６回）」、および番組「明日天気に（第７回）」の視聴を強く希望している場合、すなわち、これらが消去不可の番組である場合において、これは不都合である。
【００４１】
このように、録画を行うに当たって十分な空き領域が存在しないとき、番組消去優先基準によって消去の優先度が最も高いと判断された番組は、それがたとえユーザが消去したくないと考える番組であっても消去されてしまうという課題があった。
【００４２】
本発明は、このような課題を考慮し、消去不可の番組を適切に保存できることを特徴とする番組記録装置を提供することを目的とするものである。
【課題を解決するための手段】
【００４３】
第一の本発明（請求項１に対応）は、番組に関する番組情報を入力する番組情報入力手段と、
番組の録画予約を行うための番組録画予約手段と、
記録媒体への前記番組のコンテンツをもつデータの書き込みおよび消去を行う記録手段と、
前記番組情報入力手段から入力した番組情報を保存し、前記録画予約によりまたは前記録画予約によらず、前記番組を前記記録手段に記録させる管理手段とを備え、
前記番組録画予約手段は、複数の録画／消去操作を組とした包括的な録画予約を行うことができ、
前記記録手段は、包括的に録画予約された番組からなる番組群に属する番組の録画を実行する場合、その録画の実行より以前にすでに録画されている、前記番組群に属する番組を消去することにより、その録画を実行してもよいことを特徴とする番組記録装置である。
【００４４】
第二の本発明（請求項２に対応）は、前記記録手段は、前記番組群に属する番組の録画を実行する場合、その録画の実行より以前にすでに録画されている、前記番組群に属する番組を消去することにより、その録画を実行することを特徴とする第一の本発明の番組記録装である。
【００４５】
第三の本発明（請求項３に対応）は、第一の本発明の番組記録装置の、番組に関する番組情報を入力する番組情報入力手段、番組の録画予約を行うための番組録画予約手段、記録媒体への前記番組のコンテンツをもつデータの書き込みおよび消去を行う記録手段、前記番組情報入力手段から入力した番組情報を保存し、前記録画予約によりまたは前記録画予約によらず、前記番組を前記記録手段に記録させる管理手段としてコンピュータを機能させるためのプログラムを記録したプログラム記録媒体であって、コンピュータにより処理可能であることを特徴とするプログラム記録媒体である。
【発明の効果】
【００４６】
請求項１に対応する第一の本発明は、適切なデータの保存、消去などの管理を行うことを特徴とする番組記録装置を提供することができる。
【００４７】
請求項２に対応する第二の本発明は、上記効果に加えて、実際的なデータの保存を行うことを特徴とする番組記録装置を提供することができる。
【００４８】
請求項３に対応する第三の本発明は、番組の種類ごとに適切なデータの保存、消去などの管理を行うことを特徴とするプログラム記録媒体を提供することができる。
【発明を実施するための最良の形態】
【００４９】
以下では、本発明にかかる実施の形態について、図面を参照しつつ説明を行う。
【００５０】
（実施の形態１）
はじめに、図１を参照しながら、本実施の形態１における番組記録装置の構成について説明する。なお、図１は、本実施の形態１における番組記録装置の構成図である。
【００５１】
正チューナ１０は、録画対象となるアナログ放送チャンネルの受信を、アンテナ１から行うための手段である。
【００５２】
副チューナ２０は、放送局（図示省略）により提供される電子番組情報の受信を、アンテナ１から行うための手段である。データ・デコード処理部２１は、副チューナ２０から信号を入力し、特定チャンネルの垂直帰線区間に多重化される電子番組情報の抽出、復号化を行うための手段である。なお、本実施の形態１における副チューナ２０、およびデータ・デコード処理部２１から構成される手段は、本発明の番組情報入力手段に対応している。
【００５３】
映像・音声エンコード処理部３０は、正チューナ１０から信号を入力し、ＭＰＥＧなどによるデジタル映像・音声信号の符号化を行う部分である（映像・音声エンコード処理部３０は、デジタル放送の受信の場合には不要である）。
【００５４】
時計・グラフィックス機能内蔵マイクロ・コントローラ４０は、番組の録画予約が行われた時点において、媒体制御部６０がその録画予約された番組のコンテンツをもつデータの、記録媒体６１への書き込みを実行する時点での記録媒体６１の空き領域の不足を、少なくとも番組情報、記録媒体６１の記録状況、および番組の録画予約状況を含む番組管理情報の参照によって予測する手段である。また、時計・グラフィックス機能内蔵マイクロ・コントローラ４０は、記録媒体６１の空き領域が不足する場合には、番組の前記書き込みを実行する時点での消去可否に関する基準を含む所定の基準にしたがって、すでに録画されている番組、およびすでに録画予約されている番組の中から、書き込みを実行する時点において消去するべき番組を決定する手段である。
【００５５】
なお、時計・グラフィックス機能内蔵マイクロ・コントローラ４０は、電子番組情報、ユーザの録画指示により赤外線リモコン５０から入力される情報、および時間情報を用いて、番組を番組群に分類することができる手段である。また、時計・グラフィックス機能内蔵マイクロ・コントローラ４０は、後に説明されるように、番組管理情報をグラフィックとして生成し、ユーザによる赤外線リモコン５０の操作にしたがって、データ表示部９０による表示を制御することができる手段である。
【００５６】
メモリ４１は、電子番組情報、番組管理情報、および時計・グラフィックス機能内蔵マイクロ・コントローラ４０の動作に必要なワーク・メモリーを保持する手段である。
【００５７】
なお、本実施の形態１における時計・グラフィックス機能内蔵マイクロ・コントローラ４０、およびメモリ４１から構成される手段は、本発明の管理手段に対応している。
【００５８】
また、メモリ４１は、図２に示されているような電子番組情報、および図３に示されているような番組管理情報を保存している。なお、図３は、本発明の実施の形態で説明される１９９９年８月１２日２０時３０分における番組管理情報の一覧図であって、記録媒体６１の最大録画時間は１２時間であり、１９９９年８月１２日２０時３０分における番組録画状態が「録画済」であるような番組の録画時間の合計は１０時間である。また、２時間分の空き領域には、録画時間が２時間である番組「ロスの休日（２６話  密告）」（図３においては１９９９／０８１６／２１：００と記されている）の録画が予約されている。後に説明されるように、番組「ロスの休日（２６話  密告）」の番組録画状態は「予約中」であるが、これの番組群消去可否基準は「消去不可」であるので、番組「ロスの休日（２６話  密告）」の録画予約が、ユーザによる録画予約の取り消しの指示なしに取り消されてしまうことはない。
【００５９】
番組管理情報は、現在時刻、最大録画時間、番組消去優先基準、チャンネル、番組群、番組群録画基準、番組群消去可否基準、録画設定者、パスワード、番組録画状態（放送開始日時および録画時間を含む）、および使用時間合計の十一項目から構成されている。
【００６０】
ここで、チャンネルは、本発明における番組情報の一部に対応している。また、番組群は、本発明における番組情報の一部に対応している。また、番組録画状態は、本発明における、前記記録媒体の記録状況の一部、および前記番組の録画予約状況に対応している。また、使用時間合計は、本発明における記録媒体の記録状況の一部に対応している。また、本発明における番組群消去可否基準は、本実施の形態１におけるように番組管理情報に含まれている必要はなく、番組管理情報とは別に管理されていてもよい。
【００６１】
番組管理情報を構成する主な項目に関して説明する。
【００６２】
最大録画時間は、記録媒体６１に録画することのできる、番組の録画時間の合計の最大値である。なお、記録媒体６１の最大録画時間は１２時間である。
【００６３】
番組消去優先基準は、ユーザにより設定される、録画または録画予約されている番組のコンテンツをもつデータの消去の優先度を決定するための基準であり、本実施の形態１における番組消去優先基準は、「放送開始日時」である（すなわち、放送開始日時の早い番組のコンテンツをもつデータが優先的に消去される）。なお、本実施の形態１における番組消去優先基準は、後述の番組群消去可否基準と組み合わされて、本発明の所定の基準に対応している。
【００６４】
チャンネルは、番組の放送チャンネルである。番組群は、放送局（図示省略）により提示される電子番組情報のシリーズ情報におけるシリーズである。なお、本実施の形態１における番組群は、本発明の番組の種類に対応している。
【００６５】
番組群録画基準は、番組群ごとに設定される、番組のコンテンツをもつデータの録画に関する基準であって、「最新ｘ回分録画（ｘには具体的な数字が代入される）」、「全回分録画」の何れかを番組群ごとに選択することが可能である。
【００６６】
番組群消去可否基準は、番組群ごとに設定される、番組のコンテンツをもつデータの消去可否に関する基準であって、「消去可」、「消去不可」の何れかである。なお、本実施の形態１における番組群消去可否基準は、本発明の消去可否に関する基準に対応しており、従来の技術による番組管理情報にはない項目である。
【００６７】
録画設定者は、録画設定者により設定される録画設定者の登録名であり、従来の技術による番組管理情報にはない項目である。パスワードは、録画設定者によりセットされる、録画設定者の暗証番号の有無であり、従来の技術による番組管理情報にはない項目である。
【００６８】
番組録画状態は、番組の録画に関する状態であって、「予約中」、「録画済」、「録画中」の何れかである。なお、番組録画状態の欄には、番組の放送開始日時および番組の録画時間（括弧内に記されている）も記述されている。ただし、本欄における番組の放送開始日時は番組名をも表しており、たとえば、図２における番組「皆既日食（第１回）」は図４においては１９９９／０８１２／２１：００と記されている。使用時間合計は、番組群における録画または録画予約されている番組の録画時間の合計である。
【００６９】
赤外線リモコン５０は、電源制御、チャンネル切り替え、番組録画予約、録画設定者のパスワード入力などを、赤外線受光部５１を通して、時計・グラフィックス機能内蔵マイクロ・コントローラ４０に命令するための手段である。なお、本実施の形態１における赤外線リモコン５０、および赤外線受光部５１から構成される手段は、本発明の番組録画予約手段に対応している。
【００７０】
媒体制御部６０は、映像・音声エンコード処理部３０、および時計・グラフィックス機能内蔵マイクロ・コントローラ４０から信号を入力し、記録媒体６１におけるデータの書き込みおよび消去を行う部分である。なお、本実施の形態１における媒体制御部６０は、本発明の記録手段に対応している。
【００７１】
映像・音声デコード処理部７０は、媒体制御部６０から信号を入力し、デジタル映像・音声信号の復号を行う部分である。
【００７２】
映像・音声・グラフィック切り替え部８０は、正チューナ１０、時計・グラフィックス機能内蔵マイクロ・コントローラ４０、および映像・音声デコード処理部７０から信号を入力し、映像、音声、グラフィックの出力切り替えを行うための部分である。
【００７３】
データ表示部９０は、映像・音声・グラフィック切り替え部８０から信号を入力し、映像および音声を、ＣＲＴ９１、およびスピーカ９２に表示するための部分である。
【００７４】
このような構成を有する、本実施の形態１における番組記録装置の動作について、図１〜８を参照しながら説明する。
【００７５】
はじめに、本実施の形態１における番組記録装置の、放送局（図示省略）により提供される電子番組情報の受信、および番組管理情報の作成を行うときの動作について説明する。なお、本実施の形態１における電子番組情報は、図２に示されている。
【００７６】
副チューナ２０は、放送局（図示省略）より送出される電波をアンテナ１から受信し、電子番組情報をもつデータを抽出して、データ・デコード処理部２１への信号出力を行う。データ・デコード処理部２１は、副チューナ２０より入力した信号を復号し、時計・グラフィックス機能内蔵マイクロ・コントローラ４０への信号出力を行う。時計・グラフィックス機能内蔵マイクロ・コントローラ４０は、データ・デコード処理部２１より信号を入力し、これをメモリ４１に出力する。
【００７７】
メモリ４１は、時計・グラフィックス機能内蔵マイクロ・コントローラ４０より信号を入力し、図２に示されているような電子番組情報を保存する。
【００７８】
また、時計・グラフィックス機能内蔵マイクロ・コントローラ４０は、その電子番組情報、記録媒体６１の記録状況、および番組の録画予約状況を参照して、図３に示されているような番組管理情報を作成し、これをメモリ４１に出力する。
【００７９】
メモリ４１は、時計・グラフィックス機能内蔵マイクロ・コントローラ４０よりその番組管理情報を信号入力し、保存する。
【００８０】
つぎに、本実施の形態１における番組記録装置が、１９９９年８月１２日２０時３０分において、録画設定者Ａの録画指示による番組群「皆既日食」の録画予約を行うときの動作について、詳細に説明する。
【００８１】
赤外線リモコン５０は、録画設定者Ａの録画指示により、番組群「皆既日食」の録画を命令する信号を、赤外線受光部５１を通して、時計・グラフィックス機能内蔵マイクロ・コントローラ４０に入力する。なお、録画設定者Ａの録画指示内容は、チャンネルが「１２」であり、番組群が「皆既日食」であり、番組群録画基準が「全回分録画」であり、番組群消去可否基準が「消去不可」であり、録画設定者が「Ａ」であり、パスワードが「なし」である。
【００８２】
時計・グラフィックス機能内蔵マイクロ・コントローラ４０は、前述の録画指示を赤外線リモコン５０より信号入力する。
【００８３】
時計・グラフィックス機能内蔵マイクロ・コントローラ４０は、その入力信号に基づき、図２に示されている電子番組情報を参照して、番組群「皆既日食」が、１９９９年８月１２日２１時００分から放送される、録画時間が２時間である番組「皆既日食（第１回）」、および１９９９年８月１３日２１時００分から放送される、録画時間が２時間である番組「皆既日食（第２回）」から構成されていることを認識し、図３に示されている番組管理情報を参照し、以下のような判断を行う。
【００８４】
時計・グラフィックス機能内蔵マイクロ・コントローラ４０は、録画時間が２時間である番組「皆既日食（第１回）」のコンテンツをもつデータの、記録媒体６１への書き込みを実行する時点（すなわち１９９９年８月１２日２１時００分）において、記録媒体６１には十分な空き領域が存在していることを認識する。なぜならば、記録媒体６１の最大録画時間は１２時間であり、１９９９年８月１２日２１時００分における番組録画状態が「録画済」であるような番組の録画時間の合計は１０時間であるからである。したがって、時計・グラフィックス機能内蔵マイクロ・コントローラ４０は、その２時間分の空き領域に、番組「皆既日食（第１回）」のコンテンツをもつデータを書き込めばよいと判断する。
【００８５】
時計・グラフィックス機能内蔵マイクロ・コントローラ４０は、録画時間が２時間である番組「皆既日食（第２回）」のコンテンツをもつデータの、記録媒体６１への書き込みを実行する時点（すなわち１９９９年８月１３日２１時００分）において、記録媒体６１には十分な空き領域が存在していないことを認識する。なぜならば、記録媒体６１の最大録画時間は１２時間であり、１９９９年８月１３日２１時００分における番組録画状態が「録画済」であるような番組の録画時間の合計は１２時間であるからである。したがって、時計・グラフィックス機能内蔵マイクロ・コントローラ４０は、録画設定者Ａの録画指示の通りに、番組「皆既日食（第２回）」の録画を実行するためには、１９９９年８月１３日２１時００分において録画済の番組のコンテンツをもつデータを消去しなければならないと判断する。
【００８６】
前述されたように、本実施の形態１における番組消去優先基準は「放送開始日時」である。したがって、番組群消去可否基準が「消去可」である中で、放送開始日時の早い番組のコンテンツをもつデータが、優先的に消去される。
【００８７】
最も放送開始日時の早い番組は番組「明日天気に（第６回）」（図３においては１９９９／０７２８／２０：００と記されている）であり、これに次いで放送開始日時の早い番組は番組「明日天気に（第７回）」（図３においては１９９９／０８０４／２０：００と記されている）である。ところが、これらの番組はともに番組群「明日天気に」に属しており、番組群「明日天気に」に設定された番組群消去可否基準は「消去不可」である。
【００８８】
第三番目に放送開始日時の早い番組は番組「ロスの休日（２５話  秘密）」（図３においては１９９９／０８０９／２１：００と記されている）である。ところが、この番組は番組群「ロスの休日」に属しており、番組群「ロスの休日」に設定された番組群消去可否基準は「消去不可」である。
【００８９】
時計・グラフィックス機能内蔵マイクロ・コントローラ４０は、１９９９年８月１３日２１時００分において、録画時間が３時間である番組「プロ野球Ａ対Ｂ（第８戦）」（図３においては１９９９／０８１０／１８：００と記されている）を消去し、その消去によって生ずる３時間分の空き領域の一部に、録画時間が２時間である番組「皆既日食（第２回）」のコンテンツをもつデータを書き込めばよいと判断する。
【００９０】
時計・グラフィックス機能内蔵マイクロ・コントローラ４０は、録画時間が２時間である番組「ロスの休日（２６話  密告）」（図３においては１９９９／０８１６／２１：００と記されている）のコンテンツをもつデータの、記録媒体６１への書き込みを実行する時点（すなわち１９９９年８月１６日２１時００分）において、記録媒体６１には十分な空き領域が存在していないことを認識する。なぜならば、記録媒体６１の最大録画時間は１２時間であり、１９９９年８月１６日２１時００分における番組録画状態が「録画済」であるような番組の録画時間の合計は１１時間であるからである。
【００９１】
時計・グラフィックス機能内蔵マイクロ・コントローラ４０は、１９９９年８月１６日２１時００分において、録画時間が１時間である番組「ニュースセブン（８月１１日）」（図３においては１９９９／０８１１／０７：００と記されている）を消去し、その消去によって生ずる１時間分の空き領域とその消去を行わなくとも存した１時間分の空き領域との総和である合計２時間分の空き領域に、録画時間が２時間である番組「ロスの休日（２６話  密告）」のコンテンツをもつデータを書き込めばよいと判断する。
【００９２】
時計・グラフィックス機能内蔵マイクロ・コントローラ４０は、以上の判断に基づいて番組群「皆既日食」の録画を、録画設定者Ａの録画指示の通りに受諾し、図３に示されている番組管理情報を、図４に示されている番組管理情報に更新する。なお、図４は、本発明の実施の形態で説明される１９９９年８月１２日２０時３０分における、更新された番組管理情報の一覧図であって、番組群「皆既日食」に関する情報が書き込まれている点において、図３と相異なっている。また、消去される予定をもつ番組である番組「プロ野球Ａ対Ｂ（第８戦）」（図４においては１９９９／０８１０／１８：００と記されている）、および番組「ニュースセブン（８月１１日）」（図４においては１９９９／０８１１／１９：００と記されている）は、ばつ印をもっている。
【００９３】
時計・グラフィックス機能内蔵マイクロ・コントローラ４０は、その更新された番組管理情報を、メモリ４１に保存する。また、時計・グラフィックス機能内蔵マイクロ・コントローラ４０は、スピーカ９２に、音声表示「録画予約が完了しました。」の出力を命令する。
【００９４】
スピーカ９２は、時計・グラフィックス機能内蔵マイクロ・コントローラ４０からの命令を入力し、音声表示「録画予約が完了しました。」の出力を行う。
【００９５】
つぎに、本実施の形態１における番組記録装置が、１９９９年８月１２日２０時４０分において、消去される予定をもつ番組の選択変更を、録画設定者Ａのマニュアル操作にしたがって行うときの動作について、詳細に説明する。
【００９６】
赤外線リモコン５０は、録画設定者Ａの指示により、図７に示されているような管理情報をＣＲＴ９１に表示させる命令を、赤外線受光部５１を通して信号出力する。なお、図７は、本発明の実施の形態で説明される、１９９９年８月１２日２０時４０分における録画設定者ごとの簡略化された番組管理情報の表示図である（なお、パスワードが設定されている番組群「プロ野球Ａ対Ｂ」に関する番組管理情報は、録画設定者Ａのパスワードを入力しなければ、表示されない）。
【００９７】
赤外線リモコン５０は、録画設定者Ａの指示にしたがって、番組「ロスの休日（２６話  密告）」を録画するために１９９９年８月１６日２１時００分において消去される番組として、番組「ニュースセブン（８月１１日）」（図７においては１９９９／０８１１／１９：００と記されている）の代わりに、番組「ニュースセブン（８月１２日）」（図７においては１９９９／０８１２／１９：００と記されている）を指定する。
【００９８】
時計・グラフィックス機能内蔵マイクロ・コントローラ４０は、番組「ロスの休日（２６話  密告）」を録画するために消去される番組として、録画時間が１時間である番組「ニュースセブン（８月１１日）」（図７においては１９９９／０８１１／１９：００と記されている）の代わりに、録画時間が１時間である番組「ニュースセブン（８月１２日）」（図７においては１９９９／０８１２／１９：００と記されている）が指定されていれば十分であると判断する。
【００９９】
時計・グラフィックス機能内蔵マイクロ・コントローラ４０は、図７に示されている録画設定者ごとの簡略化された番組管理情報を、図８に示されている録画設定者ごとの簡略化された番組管理情報に更新する。なお、図８は、本実施の形態１で説明される、１９９９年８月１２日２０時４１分における録画設定者ごとの簡略化された番組管理情報の表示図である。また、時計・グラフィックス機能内蔵マイクロ・コントローラ４０は、図４に示されている番組管理情報を、図５に示されている番組管理情報に更新する。なお、図５は、本実施の形態１で説明される、１９９９年８月１２日２０時４１分における番組管理情報の表示図であり、番組「ロスの休日（２６話  密告）」を録画するために消去される番組として、番組「ニュースセブン（８月１１日）」（図７においては１９９９／０８１１／１９：００と記されている）の代わりに、番組「ニュースセブン（８月１２日）」（図７においては１９９９／０８１２／１９：００と記されている）が指定されている。
【０１００】
時計・グラフィックス機能内蔵マイクロ・コントローラ４０は、その更新された番組管理情報を、メモリ４１に保存する。また、時計・グラフィックス機能内蔵マイクロ・コントローラ４０は、スピーカ９２に、音声表示「録画予約変更が完了しました。」の出力を命令する。
【０１０１】
スピーカ９２は、時計・グラフィックス機能内蔵マイクロ・コントローラ４０からの命令を入力し、音声表示「録画予約変更が完了しました。」の出力を行う。
【０１０２】
つぎに、本実施の形態１における番組記録装置が、１９９９年８月１３日２１時００分において、番組「皆既日食（第２回）」の録画を行うときの動作について、詳細に説明する。
【０１０３】
時計・グラフィックス機能内蔵マイクロ・コントローラ４０は、１９９９年８月１３日２１時００分が近づくと、その時刻における番組管理情報（図示省略）を参照し、番組「プロ野球Ａ対Ｂ（第８戦）」（たとえば図５においては１９９９／０８１０／１８：００と記されている）のコンテンツをもつデータを消去する命令を、媒体制御部６０に信号出力する。
【０１０４】
媒体制御部６０は、時計・グラフィックス機能内蔵マイクロ・コントローラ４０より命令を入力し、番組「プロ野球Ａ対Ｂ（第８戦）」のコンテンツをもつデータを消去する。
【０１０５】
正チューナ１０は、１９９９年８月１２日２１時００分になると、放送局（図示省略）より送出される電波をアンテナ１から受信し、番組「皆既日食（第２回）」のコンテンツをもつデータを抽出して、映像・音声エンコード処理部３０への信号出力を行う。
【０１０６】
映像・音声エンコード処理部３０は、正チューナ１０より入力した信号を符合化し、媒体制御部６０への信号出力を行う。
【０１０７】
媒体制御部６０は、映像・音声エンコード処理部３０より信号を入力し、番組「皆既日食（第２回）」のコンテンツをもつデータの、記録媒体６１への書き込みを開始する。また、媒体制御部６０は、番組「皆既日食（第２回）」のコンテンツをもつデータの、記録媒体６１への書き込みの開始を、時計・グラフィックス機能内蔵マイクロ・コントローラ４０に信号出力する。
【０１０８】
時計・グラフィックス機能内蔵マイクロ・コントローラ４０は、番組管理情報を図６に示されているように更新し、これをメモリ４１に保存する。なお、図６は、本発明の実施の形態で説明される１９９９年８月１３日２１時００分における番組管理情報の一覧図であって、番組「皆既日食（第１回）」の番組録画状態はすでに「録画済」であり、番組「皆既日食（第２回）」の番組録画状態は「録画中」である。また、番組「プロ野球Ａ対Ｂ（第８戦）」のコンテンツをもつデータは消去されている。
【０１０９】
なお、本実施の形態１における番組群録画基準、番組群消去可否基準、録画設定者、パスワードは、上述した実施の形態においては設定後の変更が行われていないが、それに限らず、いつでも任意に変更を行ってよい。
【０１１０】
また、本発明の記録手段は、包括的に録画予約された番組からなる番組群に属する番組の録画を実行する場合、その録画の実行より以前にすでに録画されている、その番組群に属する番組を消去することにより、その録画を実行してもよい。たとえば、上述された実施の形態１と同様の状況において、番組「皆既日食（第２回）」の録画を番組「皆既日食（第１回）」を消去することによって実行するような、番組群「皆既日食」の包括的な録画予約を行う場合が考えられる。この場合、１９９９年８月１３日２１時００分に放送開始される番組「皆既日食（第２回）」の録画は、番組「皆既日食（第１回）」を消去することによって行われるので、番組「プロ野球Ａ対Ｂ（第８戦）」の消去が、この時点において行われることはない。ただし、番組「皆既日食（第２回）」の録画が完了すると、記録媒体６１の空き領域は消滅する。したがって、１９９９年８月１６日２１時００分に放送開始される番組「ロスの休日（２６話  密告）」の録画を行うために、番組「プロ野球Ａ対Ｂ（第８戦）」の消去を行う。なお、番組「ロスの休日（２６話  密告）」の録画時間は２時間であり、番組「プロ野球Ａ対Ｂ（第８戦）」の録画時間は３時間であるので、番組「ロスの休日（２６話  密告）の録画が完了すると、記録媒体６１には１時間分の空き領域が生じる。また、この場合、番組「ニュースセブン（８月１２日）」の消去は、行われない。
【０１１１】
このようにして、消去不可の番組を適切に保存することができる。
【０１１２】
（実施の形態２）
はじめに、図９を参照しながら、本実施の形態２における番組記録装置の構成について説明する。なお、図９は、本実施の形態２における番組記録装置の構成図である。
【０１１３】
時計・グラフィックス機能内蔵マイクロ・コントローラ１４０は、番組の録画予約が行われた時点において、媒体制御部６０がその録画予約された番組のコンテンツをもつデータの、記録媒体１６１への書き込みを実行する時点での記録媒体１６１の空き領域の不足を、少なくとも番組情報、記録媒体１６１の記録状況、および番組の録画予約状況を含む番組管理情報の参照によって予測する手段である。また、時計・グラフィックス機能内蔵マイクロ・コントローラ１４０は、記録媒体１６１の空き領域が不足する場合には、番組の前記書き込みを実行する時点での消去可否に関する基準を含む所定の基準にしたがって、すでに録画されている番組、およびすでに録画予約されている番組の中から、書き込みを実行する時点において消去するべき番組を決定する手段である。
【０１１４】
なお、時計・グラフィックス機能内蔵マイクロ・コントローラ１４０は、後に詳述されるように、番組管理情報をグラフィックとして生成し、ユーザによる赤外線リモコン１５０の操作にしたがって、データ表示部９０による表示を制御することができる手段である。なお、本実施の形態２における時計・グラフィックス機能内蔵マイクロ・コントローラ１４０、およびメモリ４１から構成される手段は、本発明の管理手段に対応している。
【０１１５】
メモリ４１は、１９９７年４月９日１０時００分において、放送局により提供される電子番組情報（図示省略）、および図１０に示されているような番組管理情報を保存している。
【０１１６】
番組管理情報は、現在時刻、最大記録容量、番組名およびチャンネル、番組記録容量（すなわち番組のコンテンツをもつデータのサイズ）、放送開始日時、再生／ダビング回数、および消去可否の七項目から構成されている。なお、本実施の形態２における消去可否は、ユーザによる指定に基づく「消去可」、「消去不可」の何れかであり、これは本発明の消去可否に関する基準に対応している。また、本実施の形態２における番組記録容量は、本発明における、前記記録媒体の記録状況、および前記番組の録画予約状況に対応している。また、本実施の形態２における番組名、チャンネル、および放送開始日時は、本発明における番組情報の一部に対応している。
【０１１７】
なお、番組管理情報は、記録済容量、空き容量、上書き可能容量、消去不可容量、予約済容量、予約可能容量をも保持している。記録済容量は、録画済番組の番組記録容量の総合計である。空き容量は、最大記録容量と記録済容量との差分である。上書き可能容量は、消去可否が「消去可」であるような録画済番組の番組記録容量の合計である。消去不可容量は、消去可否が「消去不可」であるような録画済番組の番組記録容量の合計である。予約済容量は、録画予約済番組の番組記録容量の合計である。予約可能容量は、上書き可能容量と予約済容量との差分である。
【０１１８】
また、メモリ４１は、１９９７年４月９日１０時００分において、図１２に示されているような番組消去優先順位管理情報を保存している。
【０１１９】
番組消去優先順位管理情報は、現在時刻、最大記録容量、番組消去優先基準（再生回数および放送開始日時の二項目から構成される）、番組名、番組記録容量、消去優先順位および消去予定の七項目から構成されている。
【０１２０】
番組消去優先基準は、再生回数および放送開始日時を組合せたものである。すなわち、番組は、その再生回数および録画状態によって、「再生１回」、「再生２回以上」、「再生なし」、「予約中」の何れかのグループに分類され、消去優先順位は、「再生１回」、「再生２回以上」、「再生なし」、「予約中」の順に高くなる。また、同一のグループ内においては、放送開始日時の早い番組に高い消去優先順位が与えられる。ただし、前述のユーザによる消去可否の指定が「消去不可」であるような番組には、消去優先順位を与えない。したがって、番組「野球ａｂ対ｃｄ１２」は、「予約中」のグループに分類されているが、消去可否の指定が「消去不可」であるので、番組「野球ａｂ対ｃｄ１２」の録画予約が、ユーザによる録画予約の取り消しの指示なしに取り消されてしまうことはない。
【０１２１】
なお、本実施の形態２における番組消去優先基準は、前述のユーザによる消去可否の指定と組み合わされて、本発明の所定の基準に対応している。
【０１２２】
赤外線リモコン１５０は、番組録画予約、番組の再生やダビングなどを、赤外線受光部５１を通して、時計・グラフィックス機能内蔵マイクロ・コントローラ１４０に命令するための手段である。なお、本実施の形態２における赤外線リモコン１５０、および赤外線受光部５１から構成される手段は、本発明の番組録画予約手段に対応している。
【０１２３】
媒体制御部６０は、映像・音声エンコード処理部３０、および時計・グラフィックス機能内蔵マイクロ・コントローラ４０から信号を入力し、最大記録容量が８．５ＧＢである記録媒体１６１におけるデータの書き込みおよび消去を行う部分である。なお、本実施の形態２における媒体制御部６０は、本発明の記録手段に対応している。
【０１２４】
データ表示部９０は、映像・音声デコード処理部７０から信号を入力し、映像および音声を、ＣＲＴ９１、およびスピーカ９２に表示するための部分である。
【０１２５】
このような構成を有する、本実施の形態２における番組記録装置の動作について、図９〜１７を参照しながら説明する。
【０１２６】
本実施の形態２における番組記録装置が、１９９７年４月１０日１０時００分において、番組「野球ａｂ対ｃｄ１３」の録画予約を行うときの動作について、図１７も参照しながら、詳細に説明する。なお、図１７は、録画予約を行うときの、本実施の形態２における番組記録装置の動作を説明する流れ図である。
【０１２７】
赤外線リモコン１５０は、ユーザの録画指示により、番組「野球ａｂ対ｃｄ１３」の録画を命令する信号を、赤外線受光部５１を通して、時計・グラフィックス機能内蔵マイクロ・コントローラ１４０に入力する。なお、録画設定者Ａの録画指示内容は、チャンネルが「６」であり、番組名が「野球ａｂ対ｃｄ１３」であり、消去可否が「消去可」である。
【０１２８】
時計・グラフィックス機能内蔵マイクロ・コントローラ１４０は、前述の録画指示を赤外線リモコン１５０より信号入力する（Ｓ１）。
【０１２９】
時計・グラフィックス機能内蔵マイクロ・コントローラ１４０は、前述の電子番組情報を参照して、番組「野球ａｂ対ｃｄ１３」が１９９７年４月１２日１８時００分から放送される番組であって、その番組記録容量が１．５ＧＢであることを認識する。また、時計・グラフィックス機能内蔵マイクロ・コントローラ１４０は、図１０に示されているような番組管理情報を参照して、番組「野球ａｂ対ｃｄ１３」のコンテンツをもつデータの、記録媒体１６１への書き込みを実行する時点（すなわち１９９７年４月１２日１８時００分）において、記録媒体１６１には十分な空き領域が存在していないことを認識する。なぜならば、記録媒体１６１の最大記録容量は８．５ＧＢであり、１９９７年４月１２日１８時００分における録画済の番組の番組記録容量の合計は８．５ＧＢであるので、番組記録容量が１．５ＧＢである番組「野球ａｂ対ｃｄ１３」を録画するための空き領域が十分に存在しているとはいえないからである（Ｓ２、Ｓ３）。
【０１３０】
時計・グラフィックス機能内蔵マイクロ・コントローラ１４０は、図１２に示されているような番組消去優先順位管理情報を参照し、番組記録容量が１ＧＢである番組「ＮｅｗｓＣＤＦ」および番組記録容量が０．５ＧＢである番組「英会話第３回」を１９９７年４月１２日１８時００分において消去し、番組記録容量が１．５ＧＢである番組「野球ａｂ対ｃｄ１３」の録画を実行すればよいと判断する（Ｓ４、Ｓ５）。
【０１３１】
時計・グラフィックス機能内蔵マイクロ・コントローラ４０は、この判断をユーザに通知するために、図１４に示されているような番組管理一覧をＣＲＴ９１に表示させる命令を、映像・音声・グラフィック切り替え部８０を通して、データ表示部９０に信号出力する。なお、図１４は、本実施の形態２で説明される番組管理テーブル、および利用状況が分かりやすいように棒グラフ化された記録媒体１６１からなる番組管理一覧の模式図である。
【０１３２】
なお、番組管理テーブルは、現在時刻、放送開始日時、番組名、番組記録容量、消去優先順位（「消去不可」を指定された番組の明示を含む）、消去予定、およびマニュアル消去・録画解除設定用のチェック・ボックスの七項目から構成されている。また、番組管理テーブルの下部には、一つ以前の画面を呼び出すための「戻る」表示を有するボタン、およびマニュアル消去・録画解除の実行確認をＧＵＩ利用により行うための「解除」表示を有するボタンが、表示されている。
【０１３３】
データ表示部９０は、時計・グラフィックス機能内蔵マイクロ・コントローラ４０から信号を入力し、図１４に示されているような番組管理テーブルをＣＲＴ９１のスクリーンに表示する（Ｓ６）。
【０１３４】
赤外線リモコン１５０は、ユーザの指示にしたがって、１９９７年４月１２日１８時００分において消去される番組として、番組「ドラマＸＹＺ」を指定する。また、赤外線リモコン１５０は、ユーザの指示により、番組「英会話第３回」の消去可否を、「消去可」より「消去不可」に変更する（Ｓ７）。
【０１３５】
時計・グラフィックス機能内蔵マイクロ・コントローラ１４０は、赤外線リモコン１５０より信号を入力し、図１４に示されているような番組管理一覧を、図１５に示されているような番組管理一覧に更新する（Ｓ８）。なお、図１５は、本実施の形態２で説明される、１９９７年４月９日１０時１０分における、更新された番組管理テーブル、および利用状況が分かりやすいように棒グラフ化された記録媒体１６１からなる番組管理一覧の模式図である。
【０１３６】
時計・グラフィックス機能内蔵マイクロ・コントローラ１４０は、番組記録容量が１．５ＧＢである番組「野球ａｂ対ｃｄ１３」のコンテンツをもつデータの、記録媒体１６１への書き込みを実行する時点において、番組記録容量が１ＧＢである番組「ＮｅｗｓＣＤＦ」および番組記録容量が１ＧＢである番組「ドラマＸＹＺ」を消去すれば十分であると判断する（Ｓ２、Ｓ３、Ｓ４、Ｓ５、Ｓ６、Ｓ７）。
【０１３７】
時計・グラフィックス機能内蔵マイクロ・コントローラ１４０は、以上の判断に基づいて番組「野球ａｂ対ｃｄ１３」の録画を、ユーザの録画指示の通りに受諾し、図１０に示されている番組管理情報を、図１１に示されている番組管理情報に更新する。なお、図１１は、本発明の実施の形態で説明される、１９９７年４月９日１０時１０分における番組管理情報の表示図である。また、時計・グラフィックス機能内蔵マイクロ・コントローラ４０は、図１２に示されている番組消去優先順位管理情報を、図１３に示されている番組消去優先順位管理情報に更新する。なお、図１３は、本発明の実施の形態で説明される、１９９７年４月９日１０時１０分における番組消去優先順位管理情報の表示図である。
【０１３８】
時計・グラフィックス機能内蔵マイクロ・コントローラ４０は、図１１に示されている番組管理情報、および図１３に示されている番組消去優先順位管理情報を、メモリ４１に保存する。また、時計・グラフィックス機能内蔵マイクロ・コントローラ４０は、スピーカ９２に、音声表示「録画予約が完了しました。」の出力を命令する。
【０１３９】
スピーカ９２は、時計・グラフィックス機能内蔵マイクロ・コントローラ４０からの命令を入力し、音声表示「録画予約が完了しました。」の出力を行う。
【０１４０】
なお、図１５に示されている番組管理テーブルの表示にはスクリーンにおける表示エリアをかなり必要とするので、ユーザの希望に応じて、図１６に示されているように、棒グラフ化された記録媒体１６１のみの表示を行ってもよい。また、棒グラフ化された記録媒体１６１の記録容量を、使用時間の想定値（たとえば高画質モードでは１．５時間）によって表示してもよい。なお、図１６は、本実施の形態２で説明される利用状況が分かりやすいように棒グラフ化された記録媒体１６１の模式図である。
【０１４１】
このようにして、データの保存、消去などの管理方法を適切に表示することができる。
【０１４２】
なお、本発明における番組管理情報は、上述した実施の形態１におけるようにチャンネル、番組群、番組群録画基準、番組群消去可否基準、録画設定者、パスワード、番組録画状態、および録画時間から構成されている必要はなく、たとえばデータのコンテンツに依存する情報がこれらに付加されていてもよく、要するに、番組管理を行うための情報であればよい。
【０１４３】
また、本発明における番組の種類は、上述した実施の形態１におけるように放送局側から提示される、シリーズ情報に基づいた番組群によって行う必要はなく、ユーザによってカスタマイズされた番組のジャンルなどによって行ってもよく、要するに、番組を適切に分類するための概念によって行えばよい。たとえば、本発明における番組の種類は、映像・音声コンテンツの電子番組情報に含まれるコンテンツ名およびそのコンテンツの属性情報であるカテゴリー、出演者名、連続して放映されるコンテンツのシリーズ情報、コンテンツの概要およびそれらに含まれるキーワードなどに基づいて決定されてもよいし、電子番組情報とは無関係に、ユーザがコンテンツの録画または録画予約を行うときなどに入力する独自の識別情報に基づいて決定されてもよい。
【０１４４】
また、本発明における番組管理情報は、上述した実施の形態２におけるように現在時刻、最大記録容量、番組名およびチャンネル、番組記録容量（すなわち番組のコンテンツをもつデータのサイズ）、放送開始日時、再生／ダビング回数、および消去可否から構成されている必要はなく、たとえばデータのコンテンツに依存する情報がこれらに付加されていてもよく、要するに、番組管理を行うための情報であればよい。
【０１４５】
また、本発明における番組情報は、上述した実施の形態１および２におけるように放送局側から電波配信によって提供される電子番組ガイド情報である必要はなく、たとえば刊行物に付属する記録媒体によって提供される番組ガイド情報などであってもよく、要するに、番組管理情報を構成するための、番組に関する情報であればよい。
【０１４６】
また、本発明における番組の録画予約は、上述した実施の形態１および２におけるように録画指示の通りに受諾される必要はなく、録画指示の行われた時点において録画指示の通りに録画の実行が不可能であると予測される場合には、拒否されてもよい。
【０１４７】
また、本発明における消去可否に関する基準は、上述した実施の形態１および２におけるように番組の種類ごとに設定されている必要はなく、番組ごとに個別に設定されていてもよい。
【０１４８】
また、本発明における消去可否に関する基準は、上述した実施の形態１および２におけるように時間の経過によらず一定である必要はなく、たとえば、あらかじめ定められた期間においてのみ消去不可であってその期間が経過した後には消去可となるなど、時間の経過によって変遷するものであってもよい。
【０１４９】
また、本発明における番組の録画は、上述した実施の形態１および２におけるようにあらかじめユーザによって行われた録画予約によって開始される必要はなく、ユーザの録画指示によってただちに開始されてもよい。
【０１５０】
また、本発明の番組記録装置の各構成要素の機能を専用のハードウェアで実現してもよいし、コンピュータのプログラムによってソフトウェア的に実現してもよい。
【０１５１】
また、上記各実施の形態の全部または一部の手段の全部または一部の機能をコンピュータにより実行させるためのプログラムおよび／またはデータを記録したことを特徴とする光ディスクや光磁気ディスクなどのプログラム記録媒体を作成し、これを利用することにより、読み取られたそのプログラムおよび／またはデータがコンピュータと協動して上記と同様の動作を実行してもよい。
【産業上の利用可能性】
【０１５２】
第１の本発明は、適切なデータの保存、消去などの管理を行うことができるという効果を有し、番組記録装置として有用である。
【０１５３】
第２の本発明は、上記効果に加えて、実際的なデータの保存を行うことができるという効果を有し、番組記録装置として有用である。
【０１５４】
第３の本発明は、番組の種類ごとに適切なデータの保存、消去などの管理を行うことができるという効果を有し、プログラム記録媒体として有用である。
【図面の簡単な説明】
【０１５５】
【図１】本発明の実施の形態１で説明される番組記録装置の構成図
【図２】本発明の実施の形態１で説明される電子番組情報の一覧図
【図３】本発明の実施の形態１で説明される番組管理情報の一覧図
【図４】本発明の実施の形態１で説明される番組管理情報の一覧図
【図５】本発明の実施の形態１で説明される番組管理情報の一覧図
【図６】本発明の実施の形態１で説明される番組管理情報の一覧図
【図７】本発明の実施の形態１で説明される録画設定者ごとの番組管理情報の表示図
【図８】本発明の実施の形態１で説明される録画設定者ごとの番組管理情報の表示図
【図９】本発明の実施の形態２で説明される番組記録装置の構成図
【図１０】本発明の実施の形態２で説明される番組管理情報の一覧図
【図１１】本発明の実施の形態２で説明される番組管理情報の一覧図
【図１２】本発明の実施の形態２で説明される番組消去優先順位管理情報の一覧図
【図１３】本発明の実施の形態２で説明される番組消去優先順位管理情報の一覧図
【図１４】本発明の実施の形態２で説明される番組管理テーブル、および棒グラフ化された記録媒体からなる番組管理一覧の模式図
【図１５】本発明の実施の形態２で説明される番組管理テーブル、および棒グラフ化された記録媒体からなる番組管理一覧の模式図
【図１６】本発明の実施の形態２で説明される棒グラフ化された記録媒体の模式図
【図１７】本発明の実施の形態２で説明される番組記録装置の動作を説明する流れ図
【図１８】従来の技術による番組記録装置の構成図
【図１９】従来の技術による番組管理情報の一覧図
【図２０】従来の技術による番組管理情報の一覧図
【図２１】従来の技術による番組管理情報の一覧図
【符号の説明】
【０１５６】
１  アンテナ
１０  正チューナ
２０  副チューナ
２１  データ・デコード処理部
３０  映像・音声エンコード処理部
４０  時計・グラフィックス機能内蔵マイクロ・コントローラ
４１  メモリ
５０  赤外線リモコン
５１  赤外線受光部
６０  媒体制御部
６１  記録媒体
７０  映像・音声デコード処理部
８０  映像・音声・グラフィック切り替え部
９０  データ表示部
９１  ＣＲＴ
９２  スピーカ
１４０  時計・グラフィックス機能内蔵マイクロ・コントローラ
１５０  赤外線リモコン
１６１  記録媒体
２４０  時計・グラフィックス機能内蔵マイクロ・コントローラ
２５０  赤外線リモコン
２６１  記録媒体
【図１】
2006155877.tif 000003
【図２】
2006155877.tif 000004
【図３】
2006155877.tif 000005
【図４】
2006155877.tif 000006
【図５】
2006155877.tif 000007
【図６】
2006155877.tif 000008
【図７】
2006155877.tif 000009
【図８】
2006155877.tif 000010
【図９】
2006155877.tif 000011
【図１０】
2006155877.tif 000012
【図１１】
2006155877.tif 000013
【図１２】
2006155877.tif 000014
【図１３】
2006155877.tif 000015
【図１４】
2006155877.tif 000016
【図１５】
2006155877.tif 000017
【図１６】
2006155877.tif 000018
【図１７】
2006155877.tif 000019
【図１８】
2006155877.tif 000020
【図１９】
2006155877.tif 000021
【図２０】
2006155877.tif 000022
【図２１】
2006155877.tif 000023